(57)【要約】【課題】  使用可能な波長領域を飛躍的に拡張した光ファイバコリメータを提供すること。【解決手段】  光ファイバコリメータは、単一モード光ファイバをキャピラリで保持したファイバチップと、屈折率分布型ロッドレンズと、ガラスチューブとを備え、単一モード光ファイバから出射された光を屈折率分布型ロッドレンズでコリメート光にする。黒丸４１〜４５は、各調芯波長１４２０，１４５０，１４８０，１５５０および１６００ｎｍにおける波長依存損失（ＷＤＬ）の実測値を示している。これらの実測値から、１４５０〜１６００ｎｍの波長範囲におけるある波長で調芯した光ファイバコリメータは、１２５０〜１６５０ｎｍの波長範囲において波長依存損失が０．１５ｄＢ以下となる。１２５０〜１６５０ｎｍの広い波長範囲で０．１５ｄＢ以下の低波長依存損失が得られる。【選択図】      図２
2005195752.tif 000002
【特許請求の範囲】
【請求項１】
単一モード光ファイバをキャピラリで保持したファイバチップと、レンズとを備え、前記光ファイバから出射された光を前記レンズでコリメート光にする光ファイバコリメータにおいて、
１２５０〜１６５０ｎｍの波長範囲で波長依存損失（ＷＤＬ）が０．２ｄＢ以下であることを特徴とする光ファイバコリメータ。
【請求項２】
単一モード光ファイバをキャピラリで保持したファイバチップと、レンズとを備え、前記光ファイバから出射された光を前記レンズでコリメート光にする光ファイバコリメータにおいて、
１２５０〜１６５０ｎｍの波長範囲で波長依存損失（ＷＤＬ）が０．１５ｄＢ以下であることを特徴とする光ファイバコリメータ。
【請求項３】
単一モード光ファイバをキャピラリで保持したファイバチップと、レンズとを備え、前記光ファイバから出射された光を前記レンズでコリメート光にする光ファイバコリメータにおいて、
１２５０〜１６５０ｎｍの波長範囲で挿入損失（ＩＬ）が０．２ｄＢ以下であることを特徴とする光ファイバコリメータ。
【請求項４】
請求項１〜３のいずれか１つに記載の光ファイバコリメータにおいて、
前記レンズの端面及び前記ファイバチップの端面に、１２５０〜１６５０ｎｍの波長範囲で反射率が０．４％以下の反射防止膜をそれぞれ施したことを特徴とする光ファイバコリメータ。
【請求項５】
請求項１〜４のいずれか１つに記載の光ファイバコリメータにおいて、
前記レンズは屈折率分布型ロッドレンズであることを特徴とする光ファイバコリメータ。
【発明の詳細な説明】
【技術分野】
【０００１】
本発明は、光ファイバコリメータに関するものである。
【背景技術】
【０００２】
光ファイバから出射された光をレンズによって集光し、コリメート光を得る機能を持つ光部品としては、光ファイバコリメータが一般的である。現在、光通信に用いられる１５５０ｎｍ帯（国際電気通信連合（ＩＴＵ−Ｔ）の定義ではＳバンド（１４６０〜１５３０ｎｍ）とＣバンド（１５３０〜１５６５ｎｍ）に相当）用の光ファイバコリメータとして、例えば、特許文献１に記載された従来技術が知られている。この従来技術の光ファイバコリメータは、次のような特徴を有する。
【０００３】
（１）特定波長（１５５０ｎｍ）の単一モード光ファイバ（ＳＭＦ）とレンズが結合した光ファイバコリメータを対向させたときの結合損失が、特定波長よりも短波長側（１５３０ｎｍ）で最小である。ここで「特定波長の」とは、実施例によれば、その波長用の無反射コートを施したという意味に解される。
【０００４】
（２）合焦位置が特定波長（１５５０ｎｍ）よりも短波長側（１５３０ｎｍ）に配置されている。
（３）レンズ−ファイバ間の距離が、特定波長（１５５０ｎｍ）における設計値よりも短く設計されている。
【特許文献１】特開平８−２８６０７６号公報
【発明の開示】
【発明が解決しようとする課題】
【０００５】
上記従来技術は、１４９０〜１５８０ｎｍ（Ｓバンドの一部とＣバンドの一部）の波長範囲のみを使用波長範囲に設定した場合に低結合損失を得ることを目標としている。しかし、上記従来技術は、ＩＴＵ−Ｔで定義されているバンドはＯ〜Ｌバンド（１２５０〜１６５０ｎｍ）にわたる広い波長範囲であり、このような超広帯域で同様に低結合損失、低波長依存損失が求められる場合には、対応できない。
【０００６】
その理由は、上記従来技術における合焦位置（１５５０ｎｍよりも短波長側で調芯したレンズ−ファイバ配置）の考え方は、１４９０〜１５８０ｎｍの波長領域を対象にした場合にのみ適用でき、Ｏ〜Ｌバンド（１２５０〜１６５０ｎｍ）の超広帯域をターゲットにした場合には適応できないからである。また、反射防止（ＡＲ）膜も、狭い特定波長用に設計されたものでは適用できない。
【０００７】
本発明は、このような従来の問題点に着目してなされたもので、その目的は使用可能な波長領域を飛躍的に拡張した光ファイバコリメータを提供することにある。
【課題を解決するための手段】
【０００８】
上記課題を解決するために、請求項１に係る発明は、単一モード光ファイバをキャピラリで保持したファイバチップと、レンズとを備え、前記光ファイバから出射された光を前記レンズでコリメート光にする光ファイバコリメータにおいて、１２５０〜１６５０ｎｍの波長範囲で波長依存損失（ＷＤＬ）が０．２ｄＢ以下であることを要旨とする。
【０００９】
この構成によれば、１２５０〜１６５０ｎｍの波長範囲で波長依存損失（ＷＤＬ）が０．２ｄＢ以下であるので、１２５０〜１６５０ｎｍの広い波長範囲で０．２ｄＢ以下の低
波長依存損失（ＷＤＬ）が得られる。したがって、使用可能な波長領域を飛躍的に拡張した光ファイバコリメータを実現できる。
【００１０】
請求項２に係る発明は、単一モード光ファイバをキャピラリで保持したファイバチップと、レンズとを備え、前記光ファイバから出射された光を前記レンズでコリメート光にする光ファイバコリメータにおいて、１２５０〜１６５０ｎｍの波長範囲で波長依存損失（ＷＤＬ）が０．１５ｄＢ以下であることを要旨とする。
【００１１】
この構成によれば、１２５０〜１６５０ｎｍの波長範囲で波長依存損失（ＷＤＬ）が０．１５ｄＢ以下であるので、１２５０〜１６５０ｎｍの広い波長範囲で０．１５ｄＢ以下の低波長依存損失（ＷＤＬ）が得られる。したがって、使用可能な波長領域を飛躍的に拡張した光ファイバコリメータを実現できる。
【００１２】
請求項３に係る発明は、単一モード光ファイバをキャピラリで保持したファイバチップと、レンズとを備え、前記光ファイバから出射された光を前記レンズでコリメート光にする光ファイバコリメータにおいて、１２５０〜１６５０ｎｍの波長範囲で挿入損失（ＩＬ）が０．２ｄＢ以下であることを要旨とする。
【００１３】
この構成によれば、１２５０〜１６５０ｎｍの波長範囲で挿入損失（ＩＬ）が０．２ｄＢ以下であるので、１２５０〜１６５０ｎｍの広い波長範囲で０．２ｄＢ以下の低挿入損失（ＩＬ）が得られる。したがって、使用可能な波長領域を飛躍的に拡張した光ファイバコリメータを実現できる。
【００１４】
請求項４に係る発明は、請求項１〜３のいずれか１つに記載の光ファイバコリメータにおいて、前記レンズの端面及び前記ファイバチップの端面に、１２５０〜１６５０ｎｍの波長範囲で反射率が０．４％以下の反射防止膜をそれぞれ施したことを要旨とする。
【００１５】
この構成によれば、１２５０〜１６５０ｎｍの広い波長範囲で戻り光反射率が小さい光ファイバコリメータを実現できる。
請求項５に係る発明は、請求項１〜４のいずれか１つに記載の光ファイバコリメータにおいて、前記レンズは屈折率分布型ロッドレンズであることを要旨とする。
【００１６】
この構成によれば、屈折率分布型ロッドレンズを用いて構成した光ファイバコリメータにおいて、使用可能な波長領域を飛躍的に拡張することができる。
【発明の効果】
【００１７】
以上説明したように、本発明によれば、使用可能な波長領域を飛躍的に拡張した光ファイバコリメータを実現できる。将来ＣＷＤＭなどの波長分割多重技術が広く用いられ、使用波長領域が拡大された際に重要な光部品となる広帯域光ファイバコリメータを実現できる。
【発明を実施するための最良の形態】
【００１８】
以下、本発明を具体化した実施の形態を図面に基づいて説明する。
[一実施形態]
図１は一実施形態に係る光ファイバコリメータを示している。
【００１９】
この光ファイバコリメータ１は、単一モード光ファイバ２をキャピラリ３で保持したファイバチップ４と、レンズとしての屈折率分布型ロッドレンズ５と、ガラスチューブ６とを備え、単一モード光ファイバ２から出射された光を屈折率分布型ロッドレンズ５でコリメート光にするようになっている。
【００２０】
この光ファイバコリメータ１では、屈折率分布型ロッドレンズ５として、例えば、直径が１．８ｍｍで、特定波長１５５０ｎｍにおける中心屈折率ｎ０が１．５９０、屈折率分布定数√Ａが０．３２２９であり、これから決まるピッチ（光線の蛇行周期）Ｐ＝２π／√Ａを基準にレンズ長Ｚを０．２３Ｐとした屈折率分布型ロッドレンズを用いる。なお、ここにいう「レンズ長」とは、屈折率分布型ロッドレンズ５の両端面間の長さをいう。図１に示すように一端面５ａが斜め面になった屈折率分布型ロッドレンズ５の場合、その一端面５ａと光軸の交点から他端面５ｂまでの距離が「レンズ長」である。
【００２１】
屈折率分布型ロッドレンズ５の１つの端面である一端面５ａは、その光軸に垂直な面に対して例えば８°傾斜した斜め面に研磨され、もう１つの端面である他端面５ｂは光軸に垂直な端面に研磨されている。屈折率分布型ロッドレンズ５の一端面５ａには、１２５０〜１６５０ｎｍの波長範囲で反射率が例えば０．４％以下の反射防止膜７が形成されている。
【００２２】
単一モード光ファイバ２の出射端面とキャピラリ３の一端面とを含むファイバチップ４の一端面（端面）４ａは、その中心軸に垂直な面に対して例えば８°傾斜した斜め面に研磨されている。ファイバチップ４の一端面４ａには、１２５０〜１６５０ｎｍの波長範囲で反射率が例えば０．４％以下である反射防止膜７がそれぞれ形成されている。
【００２３】
[作製方法]
次に、図１に示す光ファイバコリメータ１の作製方法を説明する。
（工程１）単一モード光ファイバ２を直径が１．８ｍｍであるガラス製のファイバチップ４のファイバ挿入孔に挿入し、接着剤で単一モード光ファイバ２をそのファイバ挿入孔に固定してファイバチップ４を作製する。作製したファイバチップ４の一端面４ａを８°の斜め面に研磨し、その後、一端面４ａに反射防止膜７を成膜する。
【００２４】
（工程２）屈折率分布型ロッドレンズ５の、８°の斜め面である一端面５ａと他端面５ｂとを研磨した後、これらの端面に反射防止膜７を成膜する。この後、屈折率分布型ロッドレンズ５をガラスチューブ６に挿入して接着剤で固定する。
【００２５】
（工程３）（工程１）で作製したファイバチップ４と、（工程２）で屈折率分布型ロッドレンズ５が固定されたガラスチューブ６とを、図３に示すように、精密ステージ（図示略）上で治具９，１０に固定し、１２５０〜１６５０ｎｍの波長範囲におけるある波長、例えば波長１４５０ｎｍの光でレンズ−ファイバ端面間距離を最適値に定める。実際の組立では、これが光軸方向の調芯に相当するので、この波長を「調芯波長」と呼ぶ。
【００２６】
このように１２５０〜１６５０ｎｍの波長範囲におけるある波長でレンズ−ファイバ端面間距離が最適値となるように、ファイバチップ４と屈折率分布型ロッドレンズ５の光軸方向の相対位置を調整する（光軸方向の調芯を行う）際には、図３に示す調芯系を用いる。この調芯系では、作用長ＷＤが５ｍｍになる位置、つまり屈折率分布型ロッドレンズ５の他端面５ｂからの距離ＷＤ／２が２．５ｍｍになる位置にミラー１１が配置されている。
【００２７】
例えば、上記調芯波長を１４５０ｎｍとすると、光源１２から出射される１４５０ｎｍの光を光サーキュレータ１３を介して単一モード光ファイバ２に入れると、ミラー１１で反射されて単一モード光ファイバ２から出射される光が、光サーキュレータ１３を介してパワーメータ１４に入射するようになっている。
【００２８】
その入射光の強度をパワーメータ１４で測定しながら、その強度が最大になるように、
ファイバチップ４と屈折率分布型ロッドレンズ５の光軸方向（Ｚ方向）の相対位置を調整する（光軸方向の調芯を行う）。
【００２９】
（工程４）こうして、１２５０〜１６５０ｎｍの波長範囲におけるある波長でレンズ−ファイバ端面間距離を最適値に定めた状態で、ファイバチップ４をガラスチューブ６に接着剤で固定する。これにより、光ファイバコリメータ１が完成する。
【００３０】
[光ファイバコリメータ対向時の挿入損失の波長依存性の計算]
次に、１２５０〜１６５０ｎｍの波長範囲におけるある調芯波長でレンズ−ファイバ端面間距離を最適値に定めた２つの光ファイバコリメータ１を対向させた時の、光結合損失（挿入損失）の波長依存性（波長依存特性）を計算した。この計算（シミュレーション）では、反射防止膜７、単一モード光ファイバ２の損失、および、屈折率分布型ロッドレンズ５のレンズ母材の損失は考慮していない。
【００３１】
その計算結果の一部は、図５に示す通りである。図５における各曲線ａ，ｂ，ｃ，ｄ，ｅ，ｆ，ｇ，ｈ，ｉ，ｊ，ｋおよびｌは、それぞれ調芯波長を１２５０，１２８０，１３１０，１３５０，１４００，１４２０，１４５０，１４８０，１５００，１５５０，１５８０および１６００ｎｍとしたときの挿入損失の波長依存性をそれぞれ示している。
【００３２】
図５に示す計算結果から、挿入損失の波長依存性の程度を見極めるために、波長依存損失（ＷＤＬ）を求めた。「波長依存損失（ＷＤＬ）」は、所定の波長範囲内での挿入損失値（ｄＢ）の最大値と最小値の差である。
【００３３】
下記の表１には、１２５０〜１６５０ｎｍの波長範囲において、調芯波長を１２５０，１２８０，１３１０，１３５０，１４００，１４２０，１４５０，１４８０，１５００，１５５０，１５８０，１６００ｎｍ，１６２０および１６５０（ｎｍ）とした場合における波長依存損失（ＷＤＬ）の計算値（ｄＢ）を示してある。
【００３４】
【表１】
2005195752.tif 000003
この表１では、図５では図示を省略してある調芯波長１６２０および１６５０（ｎｍ）の場合における波長依存損失（ＷＤＬ）の計算値（ｄＢ）も示してある。
【００３５】
表１の計算値から明らかなように、１２５０〜１６５０ｎｍの波長範囲における波長依存損失は、調芯波長が１４８０ｎｍの場合に最良となり、その波長依存損失の値は０．１０ｄＢである。また、表１の計算値から、調芯波長が１４００〜１５５０ｎｍの波長範囲では、波長依存損失が０．１６ｄＢ以下であることが判った。しかし、１４００〜１５５０ｎｍの波長範囲より長波長側および短波長側では、波長依存損失がそれぞれ悪化する。
【００３６】
[光ファイバコリメータ対向時の挿入損失の波長依存性の実測]
次に、１２５０〜１６５０ｎｍの波長範囲におけるある調芯波長でレンズ−ファイバ端面間距離を最適値に定めた２つの光ファイバコリメータ１を対向させた時の、光結合損失（挿入損失）の波長依存性を実測した。ここでは、調芯波長を１４２０，１４５０，１４８０，１５５０および１６００ｎｍとして各調芯波長毎に光ファイバコリメータ１を２つずつ作製し、各調芯波長毎の２つの光ファイバコリメータ１を、上記計算の場合と同じ作用長ＷＤ（ＷＤ＝５ｍｍ）で対向させて挿入損失の波長依存性を図４に示す測定系で測定した。
【００３７】
図４に示す測定系は、光源２０と、２つの光スイッチ２１，２２と、光スペクトルアナライザ２３と、光パワーメータ２４とを備え、２つの光スイッチ２１，２２で切り替えられる２つの光路３４，３５の一方に２つの光ファイバコリメータ１，１が作用長ＷＤ（ＷＤ＝５ｍｍ）の間隔を置いて配置されている。２つの光路３４，３５は、それぞれ光ファイバで構成されている。光源２０として、例えば、１２５０〜１６５３ｎｍの波長範囲で出射光の波長を変化させ得るチューナブルレーザ（波長可変光源）を用いている。この測定系では、２つの光スイッチ２１，２２を第１位置側に切り替えると、光源２０からの出射光が光ファイバコリメータ１，１を通らずに光スペクトルアナライザ２３に送られ、光源２０の光スペクトルを光スペクトルアナライザ２３で測定できる。このとき、１２５０
〜１６５０ｎｍの波長範囲の光スペクトルが測定される。また、この測定系では、２つの光スイッチ２１，２２を第２位置側に切り替えると、光源２０からの出射光が光ファイバコリメータ１，１を通って光パワーメータ２４に送られ、前記出射光の強度が光パワーメータ２４で測定できる。このときも、１２５０〜１６５０ｎｍの波長範囲における前記出射光の強度が測定される。光スペクトルアナライザ２３で測定した光源２０の光スペクトルと光パワーメータ２４で測定した前記出射光の強度とに基づき、２つの光ファイバコリメータ１，１の挿入損失の波長依存性が得られる。
【００３８】
このようにして各調芯波長毎に２つの光ファイバコリメータ１について測定した挿入損失の波長依存性の実測結果（挿入損失波長依存特性実測結果）を図６に示してある。図６における各曲線（イ），（ロ），（ハ），（ニ）および（ホ）は、それぞれ調芯波長を１４２０，１４５０，１４８０，１５５０および１６００ｎｍとしたときの挿入損失の波長依存性の実測結果をそれぞれ示している。また、その実測結果から、各調芯波長１４２０，１４５０，１４８０，１５５０および１６００ｎｍの場合における波長依存損失（ＷＤＬ）を求めた値を、上の表１に実測値（ｄＢ）として示してある。
【００３９】
この表１の実測値から明らかなように、挿入損失の波長依存性の実測結果では、１４５０〜１６５０ｎｍの波長範囲における波長依存損失は、調芯波長が１６００ｎｍの場合に最良となり、その波長依存損失の値は０．１０ｄＢである（図２参照）。
【００４０】
また、この実測結果から、１４５０〜１６００ｎｍの波長範囲におけるある波長で調芯した光ファイバコリメータ１は、１２５０〜１６５０ｎｍの波長範囲において波長依存損失（ＷＤＬ）が０．１５ｄＢ以下となることが判った（図２参照）。
【００４１】
図２は、１２５０〜１６５０ｎｍの波長範囲における調芯波長と波長依存損失（ＷＤＬ）の関係を示している。図２において、曲線４０は、図５に示す上記計算（シミュレーション）結果から求めた表１の計算値を用いて作成した曲線であり、調芯波長に応じた波長依存損失（ＷＤＬ）の変化を表わしている。また、図２において、黒丸４１〜４５は、各調芯波長１４２０，１４５０，１４８０，１５５０および１６００ｎｍにおける波長依存損失（ＷＤＬ）の実測値を示している。
【００４２】
図２のグラフと、上記表１の計算値および実測値とから、調芯波長が１４２０ｎｍ〜１６００ｎｍの波長範囲では、波長依存損失（ＷＤＬ）の実測値と計算値とがほぼ一致しており、その波長範囲内で調芯波長を選択することで、１２５０〜１６５０ｎｍの波長範囲において波長依存損失（ＷＤＬ）が０．２５ｄＢ以下となることが判る。
【００４３】
以上のように構成された一実施形態によれば、以下の作用効果を奏する。
○図２と、表１に示す計算値および実測値とから、１３５０〜１６００ｎｍの波長範囲におけるある波長で調芯した光ファイバコリメータ１は、１２５０〜１６５０ｎｍの波長範囲において波長依存損失（ＷＤＬ）が０．２０ｄＢ以下（０．２０ｄＢ〜０．１０ｄＢの範囲内）となる。このため、１２５０〜１６５０ｎｍの広い波長範囲で０．２０ｄＢ以下の低波長依存損失（ＷＤＬ）が得られる。したがって、使用可能な波長領域を飛躍的に拡張した光ファイバコリメータを実現できる。
【００４４】
○図２および表１に示す実測値から、１４５０〜１６００ｎｍの波長範囲におけるある波長で調芯した光ファイバコリメータ１は、１２５０〜１６５０ｎｍの波長範囲において波長依存損失（ＷＤＬ）が０．１５ｄＢ以下（０．１５ｄＢ〜０．１０ｄＢの範囲内）となる。このため、１２５０〜１６５０ｎｍの広い波長範囲で０．１５ｄＢ以下の低波長依存損失（ＷＤＬ）が得られる。したがって、使用可能な波長領域を飛躍的に拡張した光ファイバコリメータを実現できる。
【００４５】
○図６に示す実測結果から、１４２０〜１６００ｎｍの波長範囲におけるある波長で調芯した光ファイバコリメータ１は、１２５０〜１６５０ｎｍの波長範囲において挿入損失（ＩＬ）が０．２０ｄＢ以下となる。このため、１２５０〜１６５０ｎｍの広い波長範囲で０．２ｄＢ以下（０．２ｄＢ〜０．１ｄＢの範囲内）の低挿入損失（ＩＬ）が得られる。したがって、使用可能な波長領域を飛躍的に拡張した光ファイバコリメータを実現できる。
【００４６】
○屈折率分布型ロッドレンズ５の一端面５ａおよび他端面５ｂと、ファイバチップ４の一端面４ａには、１２５０〜１６５０ｎｍの波長範囲で反射率が０．４％以下の反射防止膜７をそれぞれ施してある。これにより、１２５０〜１６５０ｎｍの広い波長範囲で戻り光反射率が小さい光ファイバコリメータを実現できる。
【００４７】
○屈折率分布型ロッドレンズ５を用いて構成した光ファイバコリメータ１において、使用可能な波長領域を飛躍的に拡張することができる。
以下、上記一実施形態から把握できる技術思想について説明する。
【００４８】
（１）上記請求項１に記載の光ファイバコリメータにおいて、
前記光ファイバと前記レンズとが、１３５０〜１６００ｎｍの波長範囲におけるある波長で調芯されていることを特徴とする光ファイバコリメータ。
【００４９】
この構成によれば、１３５０〜１６００ｎｍの波長範囲におけるある波長で調芯されることで、１２５０〜１６５０ｎｍの広い波長範囲で０．２０ｄＢ〜０．１ｄＢの範囲内の低波長依存損失（ＷＤＬ）が得られる。
【００５０】
（２）上記請求項２に記載の光ファイバコリメータにおいて、
前記光ファイバと前記レンズとが、１４５０〜１６００ｎｍの波長範囲におけるある波長で調芯されていることを特徴とする光ファイバコリメータ。
【００５１】
この構成によれば、１４５０〜１６００ｎｍの波長範囲におけるある波長で調芯されることで、１２５０〜１６５０ｎｍの広い波長範囲で０．１５ｄＢ〜０．１ｄＢの範囲内の低波長依存損失（ＷＤＬ）が得られる。
【００５２】
[変形例] 
なお、この発明は以下のように変更して具体化することもできる。
・上記一実施形態では、屈折率分布型ロッドレンズ５を用いた光ファイバコリメータ１について一例として説明したが、本発明は、屈折率分布型ロッドレンズ５に代えて球面或いは非球面レンズを用い、このレンズで単一モード光ファイバ２から出射された光をコリメート光にするように構成した光ファイバコリメータにも適用可能である。
【００５３】
・上記一実施形態では、屈折率分布型ロッドレンズ５として、例えば、直径が１．８ｍｍで、特定波長１５５０ｎｍにおける中心屈折率ｎ０が１．５９０、屈折率分布定数√Ａが０．３２２９であり、レンズ長Ｚを０．２３Ｐとした屈折率分布型ロッドレンズを用いているが、本発明は他の仕様の屈折率分布型ロッドレンズを用いる場合にも適用可能である。
【００５４】
・上記一実施形態では、作用長ＷＤが５ｍｍの光ファイバコリメータ１について一例として説明したが、作用長ＷＤが０〜７０ｍｍ程度の範囲内の光ファイバコリメータにも本発明は適用可能である。
【００５５】
・上記一実施形態では、屈折率分布型ロッドレンズ５の一端面５ａはその光軸に垂直な面に対して８°傾斜した斜め面に研磨され、ファイバチップ４の一端面４ａはその中心軸に垂直な面に対して８°傾斜した斜め面に研磨されているが、これらの斜め面の角度は８°に限らず、他の角度にする場合にも本発明は適用可能である。
【００５６】
・上記一実施形態では、ファイバチップ４と屈折率分布型ロッドレンズ５を保持するチューブをガラスチューブ６としたが、ガラスチューブ６に代えて金属製のチューブを用いる場合にも本発明は適用可能である。
【図面の簡単な説明】
【００５７】
【図１】一実施形態に係る光ファイバコリメータを示す断面図。
【図２】調芯波長と波長依存促成の関係を示すグラフ。
【図３】調芯系を示す概略構成図。
【図４】挿入損失の波長依存性を測定する測定系を示す概略構成図。
【図５】同波長依存性の計算結果を示すグラフ。
【図６】同波長依存性の実測結果を示すグラフ。
【符号の説明】
【００５８】
１…光ファイバコリメータ、２…単一モード光ファイバ、３…キャピラリ、４…ファイバチップ、５…レンズとしての屈折率分布型ロッドレンズ、７…反射防止膜。
【図１】
2005195752.tif 000004
【図２】
2005195752.tif 000005
【図３】
2005195752.tif 000006
【図４】
2005195752.tif 000007
【図５】
2005195752.tif 000008
【図６】
2005195752.tif 000009